(57)【特許請求の範囲】
【請求項１】
容器本体（１）の口部（３）に着脱可能に外嵌装着される嵌着体（１１）と、嵌着体（１１）の上下方向中途部から嵌着体（１１）の上部外周を取り囲むように、嵌着体（１１）の上面よりも高く上方突出された上端開口状の底キャップ体（１２）と、底キャップ体（１２）の上端開口（１４）を開閉自在に塞ぐ蓋キャップ体（１３）と備え、底キャップ体（１２）と蓋キャップ体（１３）との間に錠剤やカプセル等の収納物（２３）を収納する収納室（２４）が形成され、
蓋キャップ体（１３）の周方向一端部に、肉薄になったヒンジ部（１８）を介して取付片（１９）が突設され、底キャップ体（１２）の周方向一端部に、嵌合凹部（２０）が設けられ、蓋キャップ体（１３）の取付片（１９）を、底キャップ体（１２）の嵌合凹部（２０）に嵌合固着することにより、蓋キャップ体（１３）は、底キャップ体（１２）に対して、底キャップ体（１２）の上端開口（１４）を開閉自在に塞ぐように連結され、
前記嵌合凹部（２０）が、底キャップ体（１２）の周方向一端部から収納室（２４）に向けて没入形成されており、前記収納物（２３）の一端部に、底キャップ体（１２）の嵌合凹部（２０）に対応する切欠凹部（３４）が設けられ、収納物（２３）の切欠凹部（３４）を嵌合凹部（２０）に嵌合することにより、収納物（２３）が収納室（２４）内に移動が規制された状態で収納保持されるように構成されていることを特徴とするキャップ装置。
【請求項２】
前記嵌着体（１１）は、容器本体（１）の口部（３）に外嵌する筒状の側壁部（１５）と、側壁部（１５）の上端を塞ぐ天壁部（１６）とを備え、嵌着体（１１）の天壁部（１６）が、前記収納室（２４）に収納した収納物（２３）を載置する載置台とされていることを特徴とする請求項１に記載のキャップ装置。
【請求項３】
底キャップ体（１２）の上端開口（１４）の端面と、蓋キャップ体（１３）の下端開口（１７）の端面とは、蓋キャップ体（１３）を閉じたときに、略全周に亘って互いに接合する接合面（２６，２７）とされ、蓋キャップ体（１３）の接合面（２７）の内周側に、蓋キャップ体（１３）が閉じたときに底キャップ体（１２）の上端開口（１４）の開口縁部に内嵌する嵌合片（２９）が、リング状に下方突設されていることを特徴とする請求項１又は２に記載のキャップ装置。
【請求項４】
蓋キャップ体（１３）の前記ヒンジ部（１８）とは反対側端部に、蓋キャップ体（１３）を開放操作するための指掛け係止片（３１）が突設されていることを特徴とする請求項１〜３のいずれかに記載のキャップ装置。
【発明の詳細な説明】
【０００１】
【発明の属する技術分野】
本発明は、錠剤等の収納物を収納できるようにしたキャップ装置に関する。
【０００２】
【従来の技術】
容器本体の口部に装着されるキャップ装置には、容器本体の口部に装着されるキャップと、該キャップの内側に配置された凹状の収納部材とを設け、キャップと収納部材との間に収納室を形成し、ここに栄養剤等の錠剤を収納できるようにしている。また、例えばキャップの周板の中途部に２条の周溝を刻設することにより、リング状の帯状部を形成し、容器本体内の薬液を服用する際に、帯状部の端部を引っ張って、帯状部をキャップから分離して、容器本体の口部からキャップの上半部を取り外し、これにより、容器本体の口部の上端開口を開放すると共に、キャップと収納部材との間の収納室を開放し、容器本体内に収納した薬液と、収納室に収納した錠剤とを一緒に服用できるようにし、これによって、一緒に服用する必要がある錠剤と薬液とを、別々の容器から取り出して服用するような不便を解消したものがある（例えば実用新案登録公報第２５６３７１７号）。
【０００３】
【発明が解決しようとする課題】
しかし、従来では、容器本体内に収納した薬液又は収納室に収納した錠剤を服用する際に、キャップから帯状部を分離してしまうため、一回の使用でキャップは上下に分割されてしまい、このキャップ装置を、他の同種の容器本体に対して再度使用することができず、不経済になるという問題があった。また、キャップに分離可能な帯状部を形成する必要があり、構造が複雑で製造が面倒になるという問題があった。
【０００４】
本発明は、上記問題点に鑑み、同種の容器本体に対して繰り返して使用できて、経済的であると共に、構造簡単にして安価に製造することができるキャップ装置を提供することを目的とする。
【０００５】
【課題を解決するための手段】
この技術的課題を解決する本発明の技術手段は、容器本体１の口部３に着脱可能に外嵌装着される嵌着体１１と、嵌着体１１の上下方向中途部から嵌着体１１の上部外周を取り囲むように、嵌着体１１の上面よりも高く上方突出された上端開口状の底キャップ体１２と、底キャップ体１２の上端開口１４を開閉自在に塞ぐ蓋キャップ体１３と備え、底キャップ体１２と蓋キャップ体１３との間に錠剤やカプセル等の収納物２３を収納する収納室２４が形成され、
蓋キャップ体１３の周方向一端部に、肉薄になったヒンジ部１８を介して取付片１９が突設され、底キャップ体１２の周方向一端部に、嵌合凹部２０が設けられ、蓋キャップ体１３の取付片１９を、底キャップ体１２の嵌合凹部２０に嵌合固着することにより、蓋キャップ体１３は、底キャップ体１２に対して、底キャップ体１２の上端開口１４を開閉自在に塞ぐように連結され、
前記嵌合凹部２０が、底キャップ体１２の周方向一端部から収納室２４に向けて没入形成されており、前記収納物２３の一端部に、底キャップ体１２の嵌合凹部２０に対応する切欠凹部３４が設けられ、収納物２３の切欠凹部３４を嵌合凹部２０に嵌合することにより、収納物２３が収納室２４内に移動が規制された状態で収納保持されるように構成されている点にある。
【０００６】
本発明の他の技術手段は、前記嵌着体１１は、容器本体１の口部３に外嵌する筒状の側壁部１５と、側壁部１５の上端を塞ぐ天壁部１６とを備え、嵌着体１１の天壁部１６が、前記収納室２４に収納した収納物２３を載置する載置台とされている点にある。
本発明の他の技術手段は、底キャップ体１２の上端開口１４の端面と、蓋キャップ体１３の下端開口１７の端面とは、蓋キャップ体１３を閉じたときに、略全周に亘って互いに接合する接合面２６，２７とされ、蓋キャップ体１３の接合面２７の内周側に、蓋キャップ体１３が閉じたときに底キャップ体１２の上端開口１４の開口縁部に内嵌する嵌合片２９が、リング状に下方突設されている点にある。
【０００７】
本発明の他の技術手段は、蓋キャップ体１３の前記ヒンジ部１８とは反対側端部に、蓋キャップ体１３を開放操作するための指掛け係止片３１が突設されている点にある。
【０００８】
【発明の実施の形態】
以下、本発明を図示の実施の形態に従って説明する。図１〜図５において、１は栄養ドリンク等の薬液を収納した容器本体で、アルミ、スチール、硝子等により構成されている。容器本体１は円筒状に形成され、その上端部には上側に向けて徐々に小径となるように先窄まり状に傾斜した肩部２を介して小径の口部３が形成されている。
なお、容器本体１の口部３には金属製のキャップ５が、口部３側の雄ねじ６及びキャップ５側の雌ねじ７を介して着脱可能に螺合されている。
【０００９】
９はキャップ装置で、容器本体１の口部３に着脱可能に外嵌装着される嵌着体１１と、上端開口状の底キャップ体１２と、椀状に形成された蓋キャップ体１３とを備える。嵌着体１１と底キャップ体１２とは合成樹脂により一体に形成されている。
嵌着体１１は、容器本体１の口部３に外嵌する筒状の側壁部１５と、側壁部１５の上端を塞ぐ天壁部１６とを有し、容器本体１の口部３に、キャップ５上から着脱可能に外嵌装着されるようになっている。
【００１０】
底キャップ体１２は、嵌着体１１の側壁部１５の上下方向中途部から嵌着体１１の上部外周を取り囲むように、嵌着体１１の上面よりも高く椀状に上方突出され、底キャップ体１２は上端開口１４を有している。
蓋キャップ体１３は、嵌着体１１及び底キャップ体１２とは別体に、透明、半透明又は着色透明の合成樹脂により椀状に形成され、下端開口１７を有している。蓋キャップ体１３の周方向一端部に、肉薄になったヒンジ部１８を介して取付片１９が突設され、底キャップ体１２の周方向一端部に、嵌合凹部２０が設けられ、蓋キャップ体１３の取付片１９を、底キャップ体１２の嵌合凹部２０に嵌合固着することにより、蓋キャップ体１３は、底キャップ体１２に対して、底キャップ体１２の上端開口１４を開閉自在に塞ぐように連結されている。
【００１１】
底キャップ体１２と蓋キャップ体１３との間に、錠剤やカプセル等の収納物２３を収納する収納室２４が形成され、前記嵌着体１１の天壁部１６が、前記収納室２４に収納した収納物２３を載置する載置台とされている。
底キャップ体１２の上端開口１４の端面と、蓋キャップ体１３の下端開口１７の端面とは、蓋キャップ体１３を閉じたときに、略全周に亘って互いに接合する接合面２６，２７とされ、蓋キャップ体１３の接合面２７の内周側に、蓋キャップ体１３が閉じたときに、底キャップ体１３の上端開口１４の開口縁部に内嵌する嵌合片２９がリング状に下方突設されている。
【００１２】
蓋キャップ体１３の前記ヒンジ部１８とは反対側端部に、蓋キャップ体１３を開放操作するための指掛け係止片３１が突設されている。
前記収納物２３は、例えば、図５に鎖線で示すように栄養剤等の錠剤３５を、台紙及びシート等を有する包装材３３によりブリスター包装してなり、包装材３３の一端部には、底キャップ体１２の嵌合凹部２０に対応する切欠凹部３４が設けられ、切欠凹部３４を嵌合凹部２０に嵌合することにより、収納物２３は、収納室２４内に、移動が規制された状態で安定に収納保持されるようになっている。
【００１３】
上記実施の形態によれば、容器本体１の口部３に、収納室２４に錠剤等の収納物２３を収納したキャップ装置９を嵌合装着した状態で、容器本体１を携帯すればよい。そして、容器本体１内の薬液を服用する際には、容器本体１の口部３からキャップ装置９を取り外した後に、容器本体１の口部３に螺合したキャップ５を外すと共に、キャップ装置９の蓋キャップ体１３を指掛け係止片３１を利用して開放し、収納室２４から錠剤等の収納物２３を取り出し、これにより、容器本体１内に収納した薬液と、収納室２４に収納した錠剤等の収納物２３とを一緒に服用できる。従って、一緒に服用する必要がある錠剤と薬液とを、別々の容器から取り出して服用するような不便を解消することができる。
【００１４】
しかも、この場合、容器本体１に収納した薬液及びキャップ装置９に収納した収納物２３を服用した後には、蓋キャップ体１３を開閉することにより、キャップ装置９の収納室２４に新たに錠剤等の収納物２３を収納すると共に、そのキャップ装置９を、薬液等を収納した同種の新しい容器本体１の口部３に嵌合装着しておけばよく、収納物２３を入れ換えるだけでキャップ装置９を繰り返し使用することができ、非常に経済的である。
また、上記実施の形態の場合、蓋キャップ体１３の取付片１９を、底キャップ体１２の嵌合凹部２０に嵌合固着することにより、蓋キャップ体１３が底キャップ体１２に対して連結されているので、非常に簡単な構成で、蓋キャップ体１３を底キャップ体１２に対して開閉自在に支持することができる。また、底キャップ体１３の上端開口１４の端面と、蓋キャップ体１３の下端開口１７の端面とは、蓋キャップ体１３を閉じたときに、略全周に亘って互いに接合する接合面２６，２７とされ、蓋キャップ体１３の接合面２７の内周側に、蓋キャップ体１３が閉じたときに、底キャップ体１２の上端開口１４の開口縁部に内嵌する嵌合片２９がリング状に下方突設されているので、蓋キャップ体１３を閉じた際に、蓋キャップ体１３が底キャップ体１２に対して不測にガタ付いたりしないようになり、簡単な構成によって、蓋キャップ体１３を確実かつ簡単に開閉することができ、キャップ装置９を構造簡単にして安価に製造することができる。
【００１５】
なお、前記実施の形態では、容器本体１の口部３に金属製のキャップ５が、着脱可能に螺合され、キャップ装置９の嵌着体１１が、容器本体１の口部３に、キャップ５上から着脱可能に外嵌装着されるようになっているが、金属製のキャップ５を省略し、容器本体１の口部３に対し、直接キャップ装置９の嵌着体１１を嵌合装着するようにしてもよく、この場合、嵌着体１１に、口部３の雄ねじ６に対応する雌ねじを形成して、嵌着体１１を口部３に着脱自在に螺合するようにしてもよい。
【００１６】
【発明の効果】
本発明によれば、キャップ装置を、同種の容器本体に対して繰り返して使用できるようになり、経済的であるし、構造簡単にして安価に製造することができる。
【図面の簡単な説明】
【図１】  本発明の一実施の形態を示す半欠状態の正面断面図である。
【図２】  同キャップ装置の斜視図である。
【図３】  同キャップ装置の正面図である。
【図４】  図３のＡ−Ａ線断面図である。
【図５】  同キャップ装置の斜視図である。
【符号の説明】
１      容器本体
３      口部
９      キャップ装置
１１      嵌着体
１２      底キャップ体
１３      蓋キャップ体
１４      上端開口
１８      ヒンジ部
１９      取付片
２０      嵌合凹部
２３      収納物
２４      収納室
２６      接合面
２７      接合面
３１      指掛け係止片
【図１】
0004142854.tif 000002
【図２】
0004142854.tif 000003
【図３】
0004142854.tif 000004
【図４】
0004142854.tif 000005
【図５】
0004142854.tif 000006